【手続補正書】
【提出日】平成26年6月23日(2014.6.23)
【手続補正１】
【補正対象書類名】特許請求の範囲
【補正対象項目名】請求項１
【補正方法】変更
【補正の内容】
【請求項１】
遊技盤に設けられた始動口への入賞を検出する始動入賞検出手段と、
始動口への入賞に起因して賞球の獲得に有利な大当り特別遊技に移行するか否かの当否判定を実行する当否判定手段と、
前記当否判定に伴い、複数の図柄を変動表示し、確定表示せしめて前記当否判定の結果を報知せしめる演出を行なうようになし、大当り時には変動後に複数の同一図柄を確定表示することにより大当りであることを報知する演出図柄表示装置と、
前記演出図柄表示装置で大当りとなる可能性が高いことを示すリーチ演出を実行するリーチ演出手段と、
１度の前記当否判定に対応する前記演出中に複数回の図柄の変動表示および停止表示を行い、複数回の当否判定が実行されたかのような擬似連続変動演出を行なう擬似連続変動演出手段と、を備えた弾球遊技機において、
前記リーチ演出手段は大当りとなる信頼度が異なる複数の演出態様を実行可能とし、
前記擬似連続変動演出手段は少なくとも前記リーチ演出の前に前記擬似連続変動演出を実行可能となし、
前記演出態様を選択する演出態様選択手段と、
前記擬似連続変動演出中に前記演出態様を示唆する示唆表示手段と、
前記擬似連続変動演出開始時の示唆表示を設定する示唆表示設定手段と、
前記擬似連続変動演出中に前記始動口への入賞があると、前記演出態様選択手段により予め選択された演出態様の前記信頼度を上限として、前記示唆表示を信頼度の高い演出態様の示唆表示に変更可能な示唆表示変更手段と、を備え、
前記リーチ演出手段は、前記擬似連続変動演出終了時の示唆表示に応じた演出態様のリーチ演出を行なうことを特徴とする弾球遊技機。 
【手続補正２】
【補正対象書類名】特許請求の範囲
【補正対象項目名】請求項４
【補正方法】変更
【補正の内容】
【請求項４】
請求項３に記載の弾球遊技機において、
前記示唆表示変更抽選手段は、前記信頼度が高い示唆表示になるほど変更させる抽選確率が低下するようになした弾球遊技機。
【手続補正３】
【補正対象書類名】特許請求の範囲
【補正対象項目名】請求項５
【補正方法】変更
【補正の内容】
【請求項５】
請求項１ないし４のいずれかに記載の弾球遊技機において、
前記示唆表示設定手段は、擬似連続変動演出の連続変動回数が多いほど、示唆表示を前記演出態様選択手段により選択された前記信頼度の上限となる示唆表示から開始される確率を低くするようになした弾球遊技機。
【手続補正４】
【補正対象書類名】明細書
【補正対象項目名】０００６
【補正方法】変更
【補正の内容】
【０００６】
請求項１に記載の発明は、遊技盤に設けられた始動口への入賞を検出する始動入賞検出手段と、
始動口への入賞に起因して賞球の獲得に有利な大当り特別遊技に移行するか否かの当否判定を実行する当否判定手段と、
前記当否判定に伴い、複数の図柄を変動表示し、確定表示せしめて前記当否判定の結果を報知せしめる演出を行なうようになし、大当り時には変動後に複数の同一図柄を確定表示することにより大当りであることを報知する演出図柄表示装置と、
前記演出図柄表示装置で大当りとなる可能性が高いことを示すリーチ演出を実行するリーチ演出手段と、
１度の前記当否判定に対応する前記演出中に複数回の図柄の変動表示および停止表示を行い、複数回の当否判定が実行されたかのような擬似連続変動演出を行なう擬似連続変動演出手段と、を備えた弾球遊技機において、
前記リーチ演出手段は大当りとなる信頼度が異なる複数の演出態様を実行可能とし、
前記擬似連続変動演出手段は少なくとも前記リーチ演出の前に前記擬似連続変動演出を実行可能となし、
前記演出態様を選択する演出態様選択手段と、
前記擬似連続変動演出中に前記演出態様を示唆する示唆表示手段と、
前記擬似連続変動演出開始時の示唆表示を設定する示唆表示設定手段と、
前記擬似連続変動演出中に前記始動口への入賞があると、前記演出態様選択手段により予め選択された演出態様の前記信頼度を上限として、前記示唆表示を信頼度の高い演出態様の示唆表示に変更可能な示唆表示変更手段と、を備え、
前記リーチ演出手段は、前記擬似連続変動演出終了時の示唆表示に応じた演出態様のリーチ演出を行なう構成とする。 
【手続補正５】
【補正対象書類名】明細書
【補正対象項目名】０００７
【補正方法】変更
【補正の内容】
【０００７】
前記リーチ演出は、変動する３つの図柄のうちの２つが同一図柄で仮停止後に実行される演出で、前記演出態様選択手段により選択される演出態様は、何れの態様においてもリーチ演出時間が同一時間とすることが望ましい。
前記擬似連続変動演出はリーチ演出の前に行なうことが望ましい。
前記示唆表示は、前記示唆表示手段により擬似連続変動演出中およびリーチ演出中に表示され、実質的に大当りとなる信頼度を示唆する。示唆表示は、変動する図柄の背景表示や変動する図柄とは別表示のキャラクタとすることが望ましい。
【手続補正６】
【補正対象書類名】明細書
【補正対象項目名】０００８
【補正方法】変更
【補正の内容】
【０００８】
請求項１に記載の発明によれば、擬似連続変動演出中に始動口へ入賞すると、大当りとなるか否かといった演出の信頼度が高いリーチ演出に変化させることを可能としたので、遊技性が向上して擬似連続変動演出に対する遊技者の関心を高めることができ、もって擬似連続変動演出中に遊技者が遊技球の発射を停止することを効果的に防ぐことができる。また擬似連続変動演出中でかつ保留記憶が満杯でも遊技球を発射して始動口へ入賞させることで、演出の信頼度が確認できるので、遊技者は擬似連続変動演出中でも積極的に遊技球を発射することとなり、パチンコ機の稼働率を高めることができる。 
【手続補正７】
【補正対象書類名】明細書
【補正対象項目名】００１３
【補正方法】変更
【補正の内容】
【００１３】
請求項４に記載の発明は、請求項３に記載の弾球遊技機において、
前記示唆表示変更抽選手段は、前記信頼度が高い示唆表示になるほど変更させる抽選確率が低くなる構成とする。 
【手続補正８】
【補正対象書類名】明細書
【補正対象項目名】００１５
【補正方法】変更
【補正の内容】
【００１５】
請求項５に記載の発明は、請求項１ないし４のいずれかに記載の弾球遊技機において、
前記示唆表示設定手段は、擬似連続変動演出の連続変動回数が多いほど、示唆表示を前記演出態様選択手段により選択された前記信頼度の上限となる示唆表示から開始される確率を低く設定せしめる。
【手続補正９】
【補正対象書類名】明細書
【補正対象項目名】００１９
【補正方法】変更
【補正の内容】
【００１９】
【図１】本発明を適用した第１の実施形態の弾球遊技機の正面図である。
【図２】前記弾球遊技機の遊技盤の正面図である。
【図３】前記弾球遊技機の背面図である。
【図４】前記弾球遊技機の電気構成図である。
【図５】前記弾球遊技機の主制御装置で実行されるメインルーチンの制御内容を示すフローチャートである。
【図６】前記主制御装置で実行される特別図柄の始動入賞確認処理１の制御内容を示すフローチャートである。
【図７】前記主制御装置における当否判定処理の制御内容を示す第１のフローチャートである。
【図８】前記当否判定処理の制御内容を示す第２のフローチャートである。
【図９】前記当否判定処理の制御内容を示す第３のフローチャートである。
【図１０】前記当否判定処理の制御内容を示す第４のフローチャートである。
【図１１】前記主制御装置で実行される特別遊技処理の制御内容を示す第１のフローチャートである。
【図１２】前記特別遊技処理の制御内容を示す第２のフローチャートである。
【図１３】前記特別遊技処理の制御内容を示す第３のフローチャートである。
【図１４】前記弾球遊技機のサブ制御装置で実行される図柄演出処理の制御内容を示すフローチャートである。
【図１５】前記サブ制御装置で実行される擬似連演出処理１の制御内容を示すフローチャートである。
【図１６】前記弾球遊技機で実行される各種リーチとリーチ時間の関係を示す図である。
【図１７】前記弾球遊技機で実行される各種擬似連の信頼度と開始割合を示す図である。
【図１８】前記弾球遊技機で実行される擬似連の回数と演出との関係の一例を示す図である。
【図１９】図１９（ａ）ないし（ｃ）は前記弾球遊技機で実行される擬似連演出の表示例を示す図である。
【図２０】図２０（ａ）および（ｂ）は前記擬似連演出の他の表示例を示す図である。
【図２１】本発明を適用した第２の実施形態の弾球遊技機のサブ制御装置で実行される擬似連演出処理２の制御内容を示すフローチャートである。
【図２２】前記弾球遊技機で実行される擬似連の回数と演出との関係の一例を示す図である。
【図２３】本発明を適用した第３の実施形態の弾球遊技機の主御装置で実行される始動入賞確認処理２の制御内容を示すフローチャートである。
【図２４】前記弾球遊技機のサブ制御装置で実行される擬似連演出処理３の制御内容を示すフローチャートである。
【図２５】前記弾球遊技機で実行される各種擬似連の変更割合を示す図である。
【図２６】前記弾球遊技機で実行される擬似連の回数と演出との関係の一例を示す図である。
【手続補正１０】
【補正対象書類名】明細書
【補正対象項目名】００４０
【補正方法】変更
【補正の内容】
【００４０】
演出図柄表示装置１５は、特図表示装置１６に表示される特図に対応する３つの擬似図柄を変動表示および確定表示する。また擬似図柄の変動中に背景表示や、動物、人物などのキャラクタを登場させ、大当りになるか否かといった遊技者の期待感を高める演出を行なう。特に、大当りを含めて大当りになる可能性が高いことを示す演出として２つの擬似図柄を同一図柄で停止表示するリーチ演出を行う。また演出の一環として、１度の当否判定に伴う図柄変動期間に複数回の図柄の変動および停止表示を行い、あたかも複数回の当否判定が実行されたかのような擬似連続変動演出をリーチ演出の前に実行可能である。
擬似連続変動演出やリーチ演出は表示される前記背景やキャラクタなどが異なる複数種類の演出態様があり、背景やキャラクタは種類に応じて大当りとなる可能性が高いか否かといった演出態様の信頼度を示唆する示唆表示をなす。
【手続補正１１】
【補正対象書類名】明細書
【補正対象項目名】００６４
【補正方法】変更
【補正の内容】
【００６４】
次に、サブ統合制御装置８３で実行される図柄変動の演出に関する処理を説明する。サブ統合制御装置８３は、前記Ｓ３２１の処理（図８）で主制御装置８０から送信された変動開始コマンドや図柄指定コマンドを受信し、これらに含まれる特図の変動パターン、特図の当否判定の結果などの情報を得ると演出図柄表示装置１５で実行する演出表示の演出態様を決定する。即ち、特図に対応する擬似図柄の決定、前記擬似連続変動演出を実行するか否かの決定、リーチ演出を実行するか否かの決定、擬似連続変動演出の場合には連続変動する回数の決定、背景やキャラクタなどの大当りになるか否かといった演出の信頼度を示唆する示唆表示の決定、リーチ演出の場合には示唆表示を含むリーチ演出内容が決定される。
このようにサブ統合制御装置８３は、リーチ演出を実行するものであるから特許請求の範囲に記載した本発明における「リーチ演出手段」に相当し、また演出態様を決定するものであるから「演出態様選択手段」に相当し、更に擬似連続変動演出の決定、示唆表示の決定を行うものであるから「擬似連続変動演出手段」および「示唆表示手段」に相当する。
【手続補正１２】
【補正対象書類名】明細書
【補正対象項目名】００６５
【補正方法】変更
【補正の内容】
【００６５】
図１４はサブ統合制御装置８３で実行される「図柄演出処理」を示し、この処理では、先ず、主制御装置８０から変動開始コマンドを受信したか否かを確認し（Ｓ５００）、受信があれば（Ｓ５００：ｙｅｓ）、受信した変動パターンの情報が、前記大当りとなる可能性が高い演出を示す情報でありかつリーチ演出を含めて擬似連続変動演出（図では「擬似連」と略した）を実行するものであるか確認する（Ｓ５０１）。
擬似連続変動演出であれば（Ｓ５０１：ｙｅｓ）、Ｓ５０２の処理で、リーチ演出の態様、擬似連続変動演出の連続変動回数、演出の信頼度を示唆する示唆表示の上限、および演出開始時の示唆表示を選択する。
【手続補正１３】
【補正対象書類名】明細書
【補正対象項目名】００９３
【補正方法】変更
【補正の内容】
【００９３】
１０  遊技盤
１５  演出図柄表示装置（図柄表示装置）
２２Ａ  第１の特別図柄始動口
２２Ｂ  第２の特別図柄始動口（電動役物）
５０  パチンコ機（弾球遊技機）
８０  主制御装置（始動入賞検出手段、当否判定手段）
８３  サブ統合制御装置（サブ制御装置、リーチ演出手段、演出態様選択手段、擬似連続変動演出手段、示唆表示手段、示唆表示変更手段、示唆表示変更抽選手段、示唆表示設定手段）